(57)【特許請求の範囲】
【請求項１】
左右の竪材と、上下に並列に配置した複数の植栽トレーと、植栽トレーの下端部を上端部よりも前方に出るように傾斜して左右の竪材間に固定する複数の連結具と、カバーとを備え、連結具は左右の竪材の上下方向に所定間隔をおいて取り付けてあり、前方に向けて突出する基板の先端部に設けた被係合部と、基板の前後方向中間部に設けた上下方向のボルト螺合孔と、基板よりも下方位置で且つボルト螺合孔よりも後方位置に設けた被当接部とを有する連結具本体と、ボルト螺合孔に上方からねじ込み基板の下方に軸部を突出自在に設けたボルトとを有し、植栽トレーは上端部の上面に設けたボルト係止部と、上端部の後面に設けた当接部と、下端部の後面に設けた係合部とを有し、植栽トレーをその係合部を下端部後方に位置する連結具本体の被係合部に上方から係止するとともにその当接部を上方に位置する連結具本体の被当接部に前方から当接し、植栽トレーのボルト係止部に上方に位置する連結具本体を貫通するボルトの下端を押し付けることにより下端部後方及び上方に位置する連結具本体に固定してあり、最上部に位置する連結具本体の基板の上面にボルトの頭部を隠すカバーを着脱自在に取り付けたことを特徴とする緑化装置。
【請求項２】
植栽トレーの下端部後面に後方に向けて突出する水切突条部を左右方向に沿って設けるとともに、植栽トレーの下端部に植栽部と水切突条部の上面とを連通する通水部が設けてあり、水切突条部から下方に位置する植栽トレーの前面に通水自在であることを特徴とする請求項１に記載の緑化装置。
【発明の詳細な説明】
【０００１】
【発明の属する技術分野】
本発明は、防音壁の緑化やフェンスとしての使用ができる緑化装置に関する。
【０００２】
【従来の技術】
この種の緑化装置として、例えば、特開平８−２３８０２８号公報には、地面に立設した支柱に竪材と横材を格子状に組み立て、上下の格子を垂直に形成して各格子に上下の植栽トレーを取り付ける技術が開示されている。各植栽トレーは、上部及び下部を垂直にして左右の竪材に植栽トレーの左右でボルト止めにより固定している。
【０００３】
【発明が解決しようとする課題】
しかし、上述の公報に開示の技術では、支柱を地面に立てるとともに竪材及び横材を植栽トレーの寸法に適合した格子を形成するように組み立てる必要があり、施工に手間がかかるという問題がある。
上下の植栽トレーは栽培面を垂直にしているので、日光や雨水を各植栽トレーが受け難く、栽培育成環境の向上が望まれている。また、雨水を受け難いから植栽トレーに給排水設備が必要になり構成が複雑になるとともにコストが高くなるという問題がある。
【０００４】
そこで、本発明は、施工が容易であり、構成が簡易で安価であるとともに植物育成環境の向上を図ることができる緑化装置の提供を目的とする。
【０００５】
【課題を解決するための手段】
請求項１に記載の発明は、左右の竪材と、上下に並列に配置した複数の植栽トレーと、植栽トレーの下端部を上端部よりも前方に出るように傾斜して左右の竪材間に固定する複数の連結具と、カバーとを備え、連結具は左右の竪材の上下方向に所定間隔をおいて取り付けてあり、前方に向けて突出する基板の先端部に設けた被係合部と、基板の前後方向中間部に設けた上下方向のボルト螺合孔と、基板よりも下方位置で且つボルト螺合孔よりも後方位置に設けた被当接部とを有する連結具本体と、ボルト螺合孔に上方からねじ込み基板の下方に軸部を突出自在に設けたボルトとを有し、植栽トレーは上端部の上面に設けたボルト係止部と、上端部の後面に設けた当接部と、下端部の後面に設けた係合部とを有し、植栽トレーをその係合部を下端部後方に位置する連結具本体の被係合部に上方から係止するとともにその当接部を上方に位置する連結具本体の被当接部に前方から当接し、植栽トレーのボルト係止部に上方に位置する連結具本体を貫通するボルトの下端を押し付けることにより下端部後方及び上方に位置する連結具本体に固定してあり、最上部に位置する連結具本体の基板の上面にボルトの頭部を隠すカバーを着脱自在に取り付けたことを特徴とする。
【０００６】
この請求項１に記載の発明では、緑化装置の施工は、左右の竪材の上下方向に所定間隔をあけて連結具を取り付け、最下位置の下植栽トレーから竪材間に固定する。下植栽トレーの固定は、竪材の前方から植栽トレーの下端部の後面に設けた係合部を下端部後方に位置する連結具本体の被係合部に上方から下方に向けて係合し、次に植栽トレーの上端部の後面に設けた当接部を上方に位置する連結具本体の被当接部に前方から後方に向けて当接させて立て掛ける。これにより、植栽トレーは下端部を上端部よりも前方に出るようにして傾斜した状態になる。次に、植栽トレーの上端部の上方から上方に位置する連結具本体のボルト螺合孔にボルトを下方に向けてねじ込んで基板にボルト軸部を貫通させてボルトの下端を植栽トレー上端部の上面にあるボルト係止部に押し付ける。これにより、下端部後方及び上方に位置する連結部本体と植栽トレーを固定する。同様にして、最下位置の上に次の植栽トレーを固定する。そして、最上にある植栽トレーを取り付け後、最上にある連結具本体にカバーを取り付け、基板のボルト螺合孔に螺合してあるボルトの頭部を隠す。
各植栽トレーの竪材への固定は、植栽トレーを立て掛けた状態で上方からボルトをねじ込みできるので、ボルトをねじ込むときに植栽トレーを人が保持したり押えておく必要がなく、施工作業が容易にできる。
植栽トレーの固定は、上方からのボルト締めであるから楽な姿勢でボルト締めができる。
ボルトの先端は植栽トレーのボルト係止部に螺合させることなく、押し付けるだけであるから植栽トレーにねじ孔を形成する必要がないとともに植栽トレーにねじを螺合する必要ないので施工作業が容易である。
植栽トレーは下部が上部よりも前方に出るように傾斜している。従って、上下に設けた各植栽トレーはそれぞれが栽培面に雨水や日光を受けやすく、栽培環境の向上を図ることができる。
前方に向けて突出する基板の先端部が栽培トレーの上部裏面に当接する場合に比較して、本発明では植栽トレーの上部は基板の下に配置しているので、植栽トレーの前後方向における出幅を小さくでき、狭小地での設置が可能である。
最上位置にある連結具には、基板のボルト挿通孔にねじ込んだボルトの頭部をカバーで隠しているので、外観が良いとともにボルトが雨水等により錆付くのを防止できる。
植栽トレーは裏面に設けた係合部を連結具の基板に設けた被係合部に係合させているので、係合部の位置を植栽トレーの下端部の上側に設けることにより植栽トレーの下端部は連結具の基板よりも下にできるから、最下位置にある植栽トレーの下端と地面との隙間を小さくでき、植栽トレーの後面側へ小動物が侵入するのを防止できる。
【０００７】
請求項２に記載の発明は、請求項１に記載の発明において、植栽トレーの下端部後面に後方に向けて突出する水切突条部を左右方向に沿って設けるとともに、植栽トレーの下端部に植栽部と水切突条部の上面とを連通する通水部が設けてあり、水切突条部から下方に位置する植栽トレーの前面に通水自在であることを特徴とする。
【０００８】
この請求項２に記載の発明は、請求項１に記載の発明と同様な作用効果を奏するとともに、植栽部から染み出た水は下端部に設けた通水部から水切突条部の上面に流れて、水切突条部から下方に位置する植栽トレーの前面に落下するので、灌漑する場合には最上の植栽トレーにのみ供給すれば、順次下の植栽トレーにも水を行き渡らせることができ、各植栽トレーに散水する必要がないので、灌漑設備が簡単で且つ安価である。
水切突条部は植栽トレーの後側に設けてあり、前面（正面）から見え難いので外観が良いとともに、水切突状部が植栽トレーの設置の邪魔にならず施工しやすい。
【０００９】
【発明の実施の形態】
以下に、添付図面を参照して、本発明の実施の形態を詳細に説明する。図１は図４に示す緑化装置のＡ部を拡大して示す縦断面図であり、図２は図４に示す緑化装置のＢ−Ｂ断面図であり、図３は本発明の実施の形態にかかる緑化装置の正面図であり、図４は図３に示す緑化装置の縦断面図である。
本実施の形態にかかる緑化装置１は、左右の竪材３、３と、上下の植栽トレー５ａ、５ｂと、左右の竪材３、３の上下方向に所定間隔をあけて設けた複数の連結具７と、カバー２７とを備えており、本実施の形態では図４に示すように、竪材３、３の前後両側に植栽トレー５ａ、５ｂが取り付けてあり、竪材３、３の両側の緑化を図っている。
各植栽トレー５ａ、５ｂはそれぞれ同一の構成であり、枠材を四方組みして形成した枠体９の内周側に植栽部１１が設けられており、植栽部１１の上面は網材１４で押えられている。
また、各植栽トレー５ａ、５ｂは下端部１２を上端部１３よりも前方に突き出るようにして傾斜している。このように各植栽トレー５ａ、５ｂを傾斜させて配置することにより、上下に設けた各植栽トレー５ａ、５ｂではそれぞれの栽培面に雨水や日光を受けやすい。
植栽トレー５ａ、５ｂの上端部１３の上面には、下方に凹んだ溝条のボルト係止部１５が左右方向に沿って設けられており、後述するボルト１７の先端１７ａがボルト係止部１５の底に押圧されて係止されている。上端部１３の後面には、上方に位置する連結具７の被当接部１９（後述する）に前方から当接する当接部２１が設けられている。
植栽トレー５ａ、５ｂの下端部１２の後面には、先端を下方に向けた鉤状の係合部２３が設けられており、下端部後方に位置する連結具７の被係合３３（後述する）に上方から下方に向けて係合するようになっている。
植栽トレー５ａ、５ｂの下端部１２（下枠）には、後方に向けて突出する水切突条部３７が設けられている。この水切突条部３７は下端部１２の左右方向に沿って設けてあり、後方にある先端を下にして傾斜している。水切突条部３７の先端は、下植栽トレー５ｂの植栽面の上方に位置しており、水切突条部３７の先端から落下した水が下植栽トレー５ｂの植栽面に落下するようになっている。
下端部１２はホロー形材であり、植栽部１１を受けている上面部３９には左右方向にわたって複数の通水孔４１が形成されているとともに、後側にも水切突条部３７の上面に連通する通水孔４５が形成されており、植栽部１１と水切突条部３７の上面を連通している。これにより、上植栽トレー５ａの栽培部１１から染み出した水を下植栽トレー５ｂの栽培面に順次供給することができる。
また、水切突条部３７は下端部１２の形材製造時に同時に形成でき、別体のものを取り付ける必要がないので構成及び施工が容易であるとともに、製造コストを低くできる。水切突条部３７は後面側にあるので前（正面）から見えないので、外観がよい。
連結具７は、竪材１１にボルト止めされた連結具本体２５と、連結具本体２５に植栽トレー５ａ、５ｂを固定するボルト１７とから構成されており、最上にある連結具本体２５のボルト１７の頭部１７ｂはカバー２７で隠している。連結具本体２５は、前方に突出する基板２９と、基板２９の下方に位置して植栽トレーの後面に当接する被当接部１９と、ホロー形状の補強部３０とが設けられており、補強部３０の内側には断面略コ字形状の鋼材３１が挿入されている。
基板２９の前方の先端には上方に向けて被係合部３３が突設している。基板２９の前後方向の略中央には内側にねじ溝が形成されたボルト螺合孔３５が設けてあり、ボルト１７を上方から下方に向けてねじ込みボルト軸部を貫通するようになっている。基板２９の下には、ボルト螺合孔３５よりも後方位置に被当接部２９が設けてあり、この被当接部２９には植栽トレー５ａ、５ｂの裏面にある当接部２１が前方から当接している。
カバー２７は、最上位置にある連結具本体２５のみに取り付けられている。このカバー２７は被係合部３３に係合する係合部４９が設けられており、係合部４９の係合とビス５０とにより固定されている。
【００１０】
次に、本実施の形態にかかる緑化装置１の施工及び作用について説明する。緑化装置１の施工は、竪材３、３を所定間隔をあけて地面に立設して支柱とする。所定の間隔は、植栽トレー５ａ、５ｂが左右の竪材３、３に跨って取り付けられる間隔とする。次に、竪材３、３の上下方向に所定間隔をあけて連結具７を取り付け、連結具７に植栽トレー５ａ、５ｂを固定するが、最下位置にある植栽トレー５ｂから取り付ける。最下位置にある植栽トレー５ｂの固定は、竪材３、３の前方から植栽トレー５ｂの下端部１２の後面に設けた係合部２３を下端部後方に位置する連結具本体２５の被係合部３３に上方から係合し、そのまま植栽トレーの上端部１３を後方（竪材３側）に押し倒すようにして上端部１３の後面に設けた当接部２１を上方に位置する連結具本体２５の被当接部１９に前方から当接させる。植栽トレー５ｂは上方から下方に移動させることにより容易に係合部２３に係合でき、且つ植栽トレー５ｂを後方に押し倒すようにして竪材３に立て掛けできる。
次に、植栽トレー５ｂを立て掛けた状態で、上方に位置する連結具本体２５の上方から、基板２９に形成されているボルト螺合孔にボルト１７をねじ込み、ボルト１７の下端１７ａは植栽トレー５の上端部１３に設けてある凹条のボルト係止部１５の底面に押し付ける。
ボルトのねじ込み作業は、上方に位置する連結具本体２５の上方から楽な姿勢でおこなうことができ、施工作業が容易である。植栽トレー５ｂを立て掛けた状態でボルト止めできるから、ボルト止めのときに植栽トレー５ｂを人が保持したり押えておく必要がない。また、ボルト１７の下端１７ａは植栽トレー５ｂに螺合させることなく、押し付けるだけであるから植栽トレーにねじ孔を形成する必要がないとともに植栽トレーにねじを螺合する必要ないので施工が容易である。
下植栽トレー５ｂの取り付け後、同様にして上植栽トレー５ａを取り付ける。そして、最上にある上植栽トレー５ａを取り付け後、最上にある連結具本体２５の被係合部３３にカバー２７の係合部４９を係合しねじ５０により固定して、基板２９のボルト螺合孔３５に螺合してあるボルト１７の頭部１７ｂを隠す。このように、基板のボルト螺合孔３５にねじ込んだボルト１７の頭部１７ｂをカバー２７で隠しているので、外観が良いとともにボルト１７が雨水等により錆付くのを防止できる。
植栽トレー５ａ、５ｂは、下端部１２が上端部１３よりも前方に出るように傾斜している。従って、上下に設けた各植栽トレー５ａ、５ｂはそれぞれが栽培面に雨水や日光を受けやすく、栽培環境の向上を図ることができる。
一方、上植栽トレー５ａが受けた雨水や散水した水は、下端部１２に設けた通水孔４１、４５を通って水切突条部３７の上面に流れ、この水切突条部３７から下植栽トレー５ｂの植栽部１１の上面に落下するので、潅水時には最上の植栽トレー５ａにのみ散水すれば、順次下の植栽トレー５ｂに供給でき、各植栽トレー５ａ、５ｂに散水する必要がないとともに給水設備を簡単にすることができ、潅水及び排水が簡易にできる。
各連結具本体２５は同じものを用いることができ、最上の連結具本体２５には、カバー２７を被せるだけであるから、同一部品を使用でき、施工しやすくコストも低減できる。
【００１１】
本発明は、上述した実施の形態に限らず、本発明の趣旨を逸脱しない範囲で種々変形可能である。
例えば、竪材３を既存の防音壁やフェンス等に支持させることにより、これらの既存の構造物に植栽トレーを取り付けて緑化を図るものであってもよい。
植栽トレー５ａ、５ｂは、上下に合計２段設けることに限らず、３段、４段等上下に幾段設けてもよいし、竪材３、３の前後両面に植栽トレー５ａ、５ｂを設けることに限らず、いずれか一方の片面のみに設けてもよい。
ボルト螺合孔３５の位置は、基板２９の前後方向の略中央に限らず、前後方向の先端と竪材３側の後端との間にあればよい。
ボルト係止部１５は、溝条に限らず間隔をあけて設けた凹みであってもよい。
上面に設ける通水孔４１は左右方向に複数設けることに限らず、左右の両端のみに設けてもよいし、左右方向に連続した条状の孔であってもよく、また、後面に設ける通水孔４５は下端部１２の左右方向に条状に形成したものであってもよいし、下端部１２の左右両側端のみに形成するものであってもよく、通水孔４１、４５の形状や位置は限定されない。
カバー２７は、最上に位置する連結具本体においてその基板２９の先端に設けた被係合部３３に係合させて取り付けることに限らず、連結具本体の被係合部３３以外の箇所に係合させたり、ビス止めのみにより固定するものであってもよく、固定方法は限定されない。
【００１２】
【発明の効果】
請求項１に記載の発明によれば、植栽トレーを立て掛けた状態で上方からボルトをねじ込みできるので、ボルトをねじ込むときに植栽トレーを人が保持したり押えておく必要がなく、施工が容易である。
植栽トレーの固定は、上方からのボルト締めにより楽な姿勢でボルト締めができる。
ボルトの先端は植栽トレーに螺合させることなく、上部のボルト係止部に押し付けるだけであるから植栽トレーにねじ孔を形成する必要がないとともに植栽トレーにもねじを螺合する必要ないので施工作業が容易である。
植栽トレーは下端部が上端部部よりも前方に出るように傾斜している。従って、上下に設けた各植栽トレーはそれぞれが栽培面に雨水や日光を受けやすく、栽培環境の向上を図ることができる。
本発明では植栽トレーの上端部は前方に向けて突出する基板の下に配置しているので、基板の先端部を栽培トレーの上部裏面に当接させる場合に比較して、植栽トレーの前後方向における出幅を小さくでき、狭小地での設置が可能である。
最上位置にある連結具には、基板のボルト挿通孔にねじ込んだボルトの頭部をカバーで隠しているので、外観が良いとともにボルトが雨水等により錆付くのを防止できる。
【００１３】
請求項２に記載の発明によれば、請求項１に記載の発明と同様な効果を奏するとともに、植栽トレーの下端部には後面に向けて突出する水切突条部を設け且つ栽培トレーの栽培部と水切突条部の上面とを連通しているので、最上の植栽トレーにのみ散水すれば、順次下のトレーにも水を行き渡らせることができ、灌漑設備を簡単且つ安価にできる。
水切突条部は植栽トレーの後側に設けてあり、前面（正面）から見え難いので外観が良いとともに、水切突状部が植栽トレーの設置の邪魔にならず施工しやすい。
【図面の簡単な説明】
【図１】  図４に示す緑化装置のＡ部を拡大して示す縦断面図である。
【図２】  図４に示す緑化装置のＢ−Ｂ断面図である。
【図３】  本発明の実施の形態にかかる緑化装置の正面図である。
【図４】  図３に示す緑化装置の縦断面図である。
【符号の説明】
１      緑化装置
３      竪材
５ａ    上植栽トレー
５ｂ    下植栽トレー
７      連結具
１１    植栽部
１２    下端部
１３    上端部
１５    ボルト係止部
１７    ボルト
１７ａ  ボルトの先端
１７ｂ  ボルトの頭部
１９    被当接部
２１    当接部
２３    係合部
２５    連結具本体
２７    カバー
２９    基板
３３    被係合部
３５    ボルト螺合孔
３７    水切突条部
３９    上面部
【図１】
0003912152.tif 000002
【図２】
0003912152.tif 000003
【図３】
0003912152.tif 000004
【図４】
0003912152.tif 000005